(57)【要約】      （修正有）【課題】商品が陳列された売場の棚などに付着されて情報を伝達する補助電子情報ラベルを提供する。【解決手段】メイン電子情報ラベルのコネクタに補助電子情報ラベルが連結される。補助電子情報ラベルは、軟性回路基板３３０に回路パターンで形成されたセグメント電極３５０を備えて、平板表示パネル３９０を駆動する。軟性回路基板３３０の一端は、メイン電子情報ラベルのコネクタに接続される。【選択図】図５
2016057597.tif 000002
【特許請求の範囲】
【請求項１】
平板表示パネルと、
メイン電子情報ラベルのコネクタに接続される外部接続部と、付加情報を表示する電極パターンを形成する複数のセグメント電極を含むセグメント電極部と、を含み、前記平板表示パネルの一面にセグメント電極部が密着されるように配される軟性回路基板と、
外部接続部に受信された制御情報に基づいてセグメント電極部を駆動して、平板表示パネルに付加情報が表示されるように制御する表示駆動部と、
を含む補助電子情報ラベル。
【請求項２】
平板表示パネルと隣接して軟性回路基板に着脱自在に付着されて情報を表示する着脱表示部をさらに含む請求項１に記載の補助電子情報ラベル。
【請求項３】
前記着脱表示部は、
軟性回路基板に着脱自在に付着される付着部と、
前記セグメント電極のうちの少なくとも１つに電気的に接続される接続電極が裏面に形成され、
前面に、この接続電極と電気的に導通する補助セグメント電極が形成された補助回路基板と、
補助回路基板の前面に付着されて、補助セグメント電極によって駆動される補助平板表示パネルと、を含む請求項２に記載の補助電子情報ラベル。
【請求項４】
補助セグメント電極がいずれも一対の接続電極に連結されて同時に駆動される請求項３に記載の補助電子情報ラベル。
【請求項５】
補助回路基板が軟性回路基板である請求項３に記載の補助電子情報ラベル。
【請求項６】
前記表示駆動部は、
メモリと、
メイン電子情報ラベルから表示制御情報を受信してメモリに保存する設定部と、
セグメント電極部をメモリに保存された表示制御情報に基づいて駆動する駆動制御部と、を含む請求項１に記載の補助電子情報ラベル。
【請求項７】
駆動制御部は、表示制御情報に基づいてセグメント電極部の少なくとも一部を点滅駆動する販促情報表示部をさらに含む請求項６に記載の補助電子情報ラベル。
【請求項８】
販促情報表示部は、
周期的にイベントを発生させるタイマと、
設定情報に基づいてタイマの周期を設定する点滅周期設定部と、
タイマイベントによってセグメント電極部の少なくとも一部を点滅駆動する点滅駆動部と、を含む請求項７に記載の補助電子情報ラベル。
【請求項９】
セグメント電極部が軟性回路基板の他端に形成された請求項１に記載の補助電子情報ラベル。
【請求項１０】
軟性回路基板は、メイン電子情報ラベルのフレームに挟み込まれる中空部を備え、上側あるいは下側に平板表示パネルが付着されるようにセグメント電極が形成され、外部接続部は、前記中空部に向けて内側から突出した突出部に形成される請求項１に記載の補助電子情報ラベル。
【請求項１１】
セグメント電極部は、オン／オフ駆動される固定表示パターンとセグメント組合わせられる組合わせ表示パターンとが混在された請求項１に記載の補助電子情報ラベル。
【請求項１２】
外部接続部の端子の一部に連結され、メイン電子情報ラベルから供給された電源を安定化させて、装置に供給する電源供給部をさらに含む請求項１に記載の補助電子情報ラベル。
【発明の詳細な説明】
【技術分野】
【０００１】
本発明は、電子的な情報伝達システム、具体的に、商品が陳列された売場の棚などに付着された電子情報ラベルに関する。
【背景技術】
【０００２】
売場で販促情報をさらに表示するために、商品ラベルの横に紙またはプラスチック材の表面に文句を印刷したタグを付着する場合がある。
【０００３】
可変的な販促情報を提供しようとする試みとして、株式会社イシダ（ＩＳＨＩＤＡ  Ｃｏ．ＬＴＤ．）によって日本に出願され、２０１２．３．１．日付で公開された"電子価格表示システム"という名称の特開２０１３−４３３３２号公報がある。この公報は、商品の情報を表示する第１表示装置と、この第１表示装置に着脱自在に設けられて、商品の販促情報（ｐｒｏｍｏｔｉｏｎ  ｉｎｆｏｒｍａｔｉｏｎ）を表示する第２表示装置と、を開示する。第２表示装置は、第１表示装置と類似した構造を有し、それに相応するコストを招く。
【発明の概要】
【発明が解決しようとする課題】
【０００４】
本発明は、その構造が簡単であり、低コストで製作可能な補助電子情報ラベルを提供することを目的とする。さらに、セグメント表示でありながらも、表示情報を変更することができる着脱構造を提案しようとする。
【０００５】
さらに、省エネ販促情報表示構造を提案しようとする。
【課題を解決するための手段】
【０００６】
本発明の一態様によれば、軟性回路基板に回路パターンで形成されたセグメント電極によって駆動される平板表示パネルを有した補助電子情報ラベルが提案される。軟性回路基板の一端は、メイン電子情報ラベルのコネクタに接続される。
【０００７】
本発明の他の態様によれば、補助電子情報ラベルは、その平板表示パネルに隣接して軟性回路基板に着脱される着脱表示部を含みうる。本発明のさらに他の態様によれば、着脱表示部は、セグメント駆動され、固定された情報を表示することができる。
【０００８】
本発明のさらに他の態様によれば、補助電子情報ラベルの表示情報は、点滅されうる。点滅作動は、メイン電子情報ラベルがスリープ中である時も、独立した駆動制御回路によって持続されうる。
【発明の効果】
【０００９】
本発明の補助電子情報ラベルは、その構造が簡単であって、低コストで製作可能である。また、着脱表示部を取り替えることによって、情報表示を変更することができる。さらに、メイン電子情報ラベルがスリープ中である時も、独立した駆動制御回路によって点滅するように制御されて、低電力で販促（ｐｒｏｍｏｔｉｏｎ）機能を提供する。
【図面の簡単な説明】
【００１０】
【図１】本発明の一実施形態による電子情報ラベルシステムの全体的な構成を示す図面である。
【図２】本発明の一実施形態による電子情報ラベル１５０の概略的な構成を示すブロック図である。
【図３】本発明の一実施形態による補助電子情報ラベル１３０の概略的な構成を示す図面である。
【図４】本発明のさらに他の実施形態による表示駆動部３２０の概略的な構成を示すブロック図である。
【図５】本発明のさらに他の実施形態による補助電子情報ラベル１３０の概略的な構成を示す図面である。
【図６】本発明の一実施形態による着脱表示部の構成を示す図面である。
【図７】図６の着脱表示部の裏面を示す図面である。
【図８】２個の着脱表示部が付着された補助電子情報ラベルの一実施形態を示す図面である。
【図９】本発明のさらに他の実施形態による補助電子情報ラベル１３０の外観を示す図面である。
【図１０】本発明のさらに他の実施形態による補助電子情報ラベル１３０の概略的な構成を示す図面である。
【図１１】図９及び図１０に示された実施形態において、セグメント電極部の表示パターンの構成を説明する図面である。
【図１２】電子情報ラベルの商品情報の表示方法を示すフローチャートである。
【発明を実施するための形態】
【００１１】
前述した、そして、追加的な態様は、添付した図面を参照して説明する実施形態を通じて具体化される。各実施形態の構成要素は、他の言及や相互間に矛盾がない限り、実施形態内で多様な組合わせが可能であると理解される。
【００１２】
図１は、本発明の一実施形態による電子情報ラベルシステムの全体的な構成を示す。示したように、一実施形態による電子情報ラベル管理システムは、管理サーバ１２０、ゲートウェイ１７０、及び電子情報ラベル１５０、１５１、１５２を含む。電子情報ラベルは、複数のグループに分けられる。管理サーバ１２０は、複数のゲートウェイを通じて各グループの電子情報ラベルを管理する。図１は、例示的に１つのゲートウェイとそのゲートウェイによって管理される幾つかの電子情報ラベルとを示す。示された実施形態で、電子情報ラベル管理サーバ１２０は、ゲートウェイ１７０と有線で連結される。ゲートウェイ１７０と、そのゲートウェイに属したグループの電子情報ラベルは、近距離無線通信、例えば、ＩＥＥＥ  ８０２．１５．４標準によるＰＨＹ／ＭＡＣ階層上で定義されたプロトコルによって通信する。
【００１３】
電子情報ラベルは、複数のグループに区分され、グループ別に商品情報が更新される。バッテリから電源を供給される電子情報ラベルの電力消耗を減らすために、電子ラベルは、情報更新に必要なウェークアップ（ｗａｋｅｕｐ）期間を除いては、スリープ（ｓｌｅｅｐ）状態を保持する。また、ディスプレイは、電源が供給されなくても、情報表示状態を保持する電子ペーパーディスプレイ（ＥＰＤ：Ｅｌｅｃｔｒｏｎｉｃ  Ｐａｐｅｒ  Ｄｉｓｐｌａｙ）を使う。電子ペーパーディスプレイは、たとえ電源供給が中断されるとしても、表示状態を長期間保持する双安定性（ｂｉｓｔａｂｉｌｉｔｙ）によって、電力消耗を減らさなければならない電子情報ラベルに採用されている。電子ペーパーディスプレイには、靜電荷が充電された半球形ツイストボールを利用したツイストボールタイプ、電気泳動法とマイクロカプセルとを応用した電気泳動ディスプレイ、及びコレステロール液晶を利用したコレステロール液晶ディスプレイなどが知られている。
【００１４】
一実施形態によれば、メイン電子情報ラベル１１０には、１つあるいはそれ以上の補助電子情報ラベル１３０が連結されうる。示された実施形態において、メイン電子情報ラベル１１０には、商品名、価格などの商品情報が表示される。示された実施形態で、補助電子情報ラベルには、割引率、セール中であることを表示する文句などの販促情報が表示される。
【００１５】
図２は、本発明の一実施形態による電子情報ラベル１５０の概略的な構成を示すブロック図である。一実施形態において、電子情報ラベル１５０は、無線通信集積回路２１０と、ＥＰＤ（Ｅｌｅｃｔｒｏｎｉｃ  Ｐａｐｅｒ  Ｄｉｓｐｌａｙ）駆動チップ２３０、そして、電子ペーパーディスプレイ２５０と、を含む。図示されていないが、電子情報ラベル１５０は、バッテリによって電源を供給される。示された実施形態で、無線通信集積回路２１０は、ジグビー送受信部、マイクロプロセッサと、メモリ、アナログ／デジタル変換器及びデジタル／アナログ変換器、また、例えば、ＳＰＩ（Ｓｅｒｉａｌ  Ｐｅｒｉｐｈｅｒａｌ  Ｉｎｔｅｒｆａｃｅ）インターフェースのような周辺装置入出力インターフェースが集積されたシステム・オン・チップ（Ｓｙｓｔｅｍ−ｏｎ−Ｃｈｉｐ）集積回路である。しかし、これに限定されるものではなく、専用ハードウェア、ゲートアレイ、個別半導体素子など多様な設計方式の１つあるいはこれらの組合わせで具現されうる。
【００１６】
ジグビー送受信部は、ジグビー（Ｚｉｇｂｅｅ（登録商標））方式でゲートウェイ１７０と通信する。ジグビー通信は、ＩＥＥＥ  ８０２．１５．４標準に基づいてＰＨＹ／ＭＡＣを定義している通信方式の１つであって、電力消耗が少なく、保安性に優れた近距離低速通信規格である。しかし、提案された発明は、これに限定されるものではなく、ブルートゥースやあるいはジグビーの通信規格の一部のみを採択した通信方式のように多様な近距離通信方式が適用可能である。一実施形態において、メモリは、電力消耗が少なく、バッテリが供給されなくても、データが保持されるフラッシュメモリである。しかし、これに限定されず、公知の半導体メモリのうち、適切な他のものなどが採択されうる。
【００１７】
無線通信集積回路２１０のマイクロプロセッサは、例えば、タイマイベントなどに反応してウェークアップした後、商品情報の更新があるか否かをチェックする。表示された商品情報の更新が必要である場合、マイクロプロセッサは、周辺装置入出力インターフェースを通じてＥＰＤ駆動チップ２３０を制御する。ＥＰＤ駆動チップ２３０は、更新された商品情報を表示するように電子ペーパーディスプレイ２５０を駆動する。一実施形態において、電子ペーパーディスプレイは、高電圧で駆動されて電荷ポンプ（ｃｈａｒｇｅ  ｐｕｍｐ）回路の充電に時間が必要である。マイクロプロセッサは、ＥＰＤ駆動チップ２３０に表示されるイメージをダウンロードし、そのイメージの表示に関連したパラメータ、例えば、点滅有無及び点滅週期などの情報を伝送した後、再びスリープモードに進入する。ＥＰＤ駆動チップ２３０は、マイクロプロセッサがスリープモードに進入した後にも、電荷ポンプを駆動して必要な高電圧を生成し、電子ペーパーディスプレイ２５０にイメージを表示し、パラメータによって、その表示状態を制御する。
【００１８】
一態様によって、メイン電子情報ラベル１５０は、コネクタ２７０を通じて補助電子情報ラベル１３０を駆動する。一実施形態において、コネクタ２７０は、無線通信集積回路２１０内部のマイクロプロセッサの周辺装置入出力インターフェース、例えば、ＳＰＩインターフェースに連結される。しかし、これに限定されるものではなく、例えば、コネクタ２７０は、ＥＰＤ駆動チップ２３０に連結されても良い。
【００１９】
図３は、本発明の一実施形態による補助電子情報ラベル１３０の概略的な構成を示す。一実施形態による補助電子情報ラベル１３０は、平板表示パネル３９０と、軟性回路基板３３０及び表示駆動部３２０と、を含む。
【００２０】
一実施形態において、平板表示パネル３９０は、ＩＴＯ（インジウム−ティン−オキサイド）導電性ポリエステルフィルム上にマイクロカプセルが稠密にコーティングされた電子インク（Ｅ−ｉｎｋ）パネルである。電気泳動によって、マイクロカプセルでインク微粒子が表面に移動すれば発色される。しかし、これに限定されるものではなく、例えば、液晶ディスプレイのようにセグメント駆動される多様な形態のパネルが適用可能である。
【００２１】
一態様によれば、軟性回路基板３３０は、一端にメイン電子情報ラベルのコネクタ２７０に接続される外部接続部３１０が形成され、付加情報を表示する電極パターンを形成する複数のセグメント電極３５１、３５３を含むセグメント電極部３５０が一面に形成される。一態様によって、軟性回路基板３３０は、平板表示パネル３９０の一面にセグメント電極部３５０が密着されるように配される。セグメント電極部３５０は、平板表示パネル３９０に駆動電圧を印加するが、共通電極で作動するＩＴＯ導電性フィルムに対して駆動電圧を印加して、マイクロカプセル内に電気泳動を引き起こす。一実施形態において、平板表示パネル３９０は、軟性回路基板３３０のセグメント電極部３５０の領域に配される。
【００２２】
一実施形態において、軟性回路基板３３０は、一端にメイン電子情報ラベルのコネクタ２７０に接続される外部接続部３１０が形成される。軟性回路基板３３０の他端には、セグメント電極部３５０が形成される。外部接続部３１０は、印刷回路パターンによって形成された電極パターンであって、メイン電子ラベルのコネクタに挿入されて、それから多数の電気的な信号を送受信する。図示されていないが、外部接続部の端子の一部に連結され、メイン電子情報ラベルから供給された電源を安定化させて、装置に供給する電源供給部をさらに備えることができる。例えば、電源供給部は、電圧レギュレータ（ｖｏｌｔａｇｅ  ｒｅｇｕｌａｔｏｒ）であり得る。この場合、補助電子ラベルは、メイン電子ラベルから電源を供給される。しかし、これに限定されるものではなく、補助電子ラベルは、自体電源、例えば、バッテリによって電源が供給されても良い。
【００２３】
示された実施形態において、セグメント電極は、数字を表示する２個のセグメントと、パーセント（％）記号を例示として表示したが、これに限定されるものではなく、固定された文句や、低解像度で文字を表示する行列で配された複数の電極セグメントでもあり得る。
【００２４】
各セグメントは、回路パターンを通じて表示駆動部３２０の駆動チップに連結される。各セグメントと駆動チップとの連結配線は、軟性回路基板３３０の裏面に形成されうる。表示駆動部３２０は、外部接続部３１０に受信された表示情報に基づいてセグメント電極部３５０を駆動して、平板表示パネル３９０に付加情報が表示されるように制御する。一実施形態において、表示駆動部３２０は、メイン電子情報ラベルの駆動信号を増幅して伝達する増幅回路であり得る。さらに他の実施形態において、表示駆動部３２０は、表示するデータを受信して、各セグメント電極を制御するオン／オフ信号を発生させるデコーダであり得る。例えば、表示駆動部３２０は、２桁の数字を入力されて、図３のセグメント電極部３５０の２桁の数字を構成する各セグメントのオン／オフを制御するセグメントデコーダであり得る。
【００２５】
図４は、本発明のさらに他の実施形態による表示駆動部３２０の概略的な構成を示すブロック図である。さらに他の態様によれば、表示駆動部３２０は、メモリ４３０と、メイン電子情報ラベルから表示制御情報を受信してメモリ４３０に保存する設定部４１０と、セグメント電極部３５０をメモリ４３０に保存された表示制御情報に基づいて駆動する駆動制御部４５０と、を含みうる。表示制御情報は、例えば、表示制御情報は、特定の表示情報あるいはこのような表示を制御する情報の組合わせであり得る。一例として、表示制御情報は、セグメント表示される数字あるいは文字情報を含みうる。さらに他の例として、表示制御情報は、特定の文字セグメント表示をオン／オフさせる制御情報を含みうる。一実施形態で、駆動制御部４５０は、セグメントデコーダ４５７を含みうる。セグメントデコーダ４５７は、メイン電子ラベルから受信してメモリ４３０に保存された表示数字によってセグメント電極部３５０の各セグメントをオン／オフさせて数字を表示させる駆動信号を発生させる。
【００２６】
一実施形態で、駆動制御部４５０は、表示制御情報に基づいてセグメント電極部３５０の少なくとも一部を点滅駆動する販促情報表示部４５１をさらに含みうる。一実施形態で、販促情報表示部４５１は、タイマ４５５と、このタイマをメモリ４３０に保存された制御情報によってプログラムし、タイマイベントによって表示状態を制御する表示制御部４５３と、を含みうる。タイマ４５５は、複数の周期的なイベントを発生する多チャネルタイマ回路である。表示制御部４５３は、点滅周期を設定するためにタイマ４５５のレジスタをプログラムする。レジスタに記録される値は、管理サーバでユーザによって設定された値であり得る。この値は、メイン電子ラベルから受信してメモリ４３０に保存される。さらに他の例として、レジスタに記録される値は、既定の固定された値であり得る。例えば、表示期間と消える期間とが異なるように制御されるか、また、２個の週期が交番される形式で点滅周期が複数の値によって制御されても良い。
【００２７】
設定部４１０、表示制御部４５３、さらに、セグメントデコーダ４５７まで単一のマイクロプロセッサとプログラムとして具現可能である。メモリ４３０、タイマ４５５、そして、マイクロプロセッサは、単一の半導体チップに集積されうる。
【００２８】
図５は、本発明のさらに他の実施形態による補助電子情報ラベル１３０の概略的な構成を示す。一実施形態による補助電子情報ラベル１３０は、平板表示パネル３９０と、軟性回路基板３３０及び表示駆動部３２０と、を含む。図３に示された実施形態と同一か、または類似した構成については、説明を省略する。図３に示された実施形態とは異なって、図５に示された実施形態は、軟性回路基板３３０で平板表示パネル３９０が配されるセグメント電極部３５０の上側と下側とに着脱表示部が着脱可能な構成３４１、３４３、３７１、３７３、３７５、３７７をさらに備える。後述するように、着脱表示部は、平板表示パネルと隣接して配され、全体として表示情報が一体化されうる。示された実施形態は、２個の着脱表示部が付着されうる構造に関するものであるが、これに限定されず、着脱表示部は、１個でも、３個あるいはそれ以上でもあり得る。
【００２９】
一態様によれば、軟性回路基板３３０は、着脱表示部を固定する固定部３４１、３４３と、着脱表示部に駆動信号を伝達する接続電極３７１、３７３、３７５、３７７と、を含みうる。一実施形態において、固定部３４１、３４３は、磁石であり得る。さらに他の例として、固定部３４１、３４３は、ベルクロ（Ｖｅｌｃｒｏ（登録商標））であり得る。着脱表示部の対応する構成と結合して、着脱表示部を平板表示パネル３９０に隣接した位置に固定する。接続電極３７１、３７３、３７５、３７７は、着脱表示部のセグメントを駆動する電極である。示された実施形態は、１つの着脱表示部のために一対の接続電極が備えられる。この場合、着脱表示部は、単一のセグメントを構成するので、全体表示内容が同時に点滅される。しかし、これに限定されるものではなく、接続電極は、着脱表示部のセグメントの個数によってさらに多く備えられうる。接続電極は、表示駆動部３２０の駆動回路に軟性回路基板の配線パターン（図示せず）によって連結される。
【００３０】
図６は、本発明の一実施形態による着脱表示部の構成を示す。示された着脱表示部は、図５の平板表示パネル３９０と隣接して軟性回路基板３３０の上部に着脱自在に付着されて情報を表示する。一実施形態で、着脱表示部は、補助回路基板６３０と、補助回路基板６３０の前面に付着される平板表示パネル６９０と、を含む。一実施形態において、平板表示パネル６９０は、電子ペーパーディスプレイである。しかし、これに限定されるものではなく、平板表示パネル６９０は、液晶ディスプレイ、有機発光ディスプレイなど多様な平板表示ディスプレイの１つであり得る。一実施形態において、補助回路基板６３０は、軟性回路基板である。しかし、これに限定されず、一般的な印刷回路基板の１つであり得る。
【００３１】
一実施形態で、補助回路基板６３０には、補助セグメント電極６１０がパターニングされる。示された実施形態で、補助セグメント電極６１０は、いずれも電気的に連結されて、電気的に１つの電極である。しかし、これに限定されるものではなく、複数のセグメントに分割されて個別的に駆動されうる。平板表示パネル６９０は、補助回路基板の前面に付着されて補助セグメント電極６１０によって駆動される。
【００３２】
図７は、図６の着脱表示部の裏面を示す。示したように、一実施形態による着脱表示部の補助回路基板６３０の裏面には、軟性回路基板に着脱自在に付着される付着部６４１と、セグメント電極のうちの少なくとも１つに電気的に接続される接続電極６７１、６７３と、が形成される。一実施形態において、付着部６４１は、磁石であり得る。さらに他の例として、付着部６４１は、ベルクロであり得る。対応する軟性回路基板の固定部３４１と結合して、着脱表示部を平板表示パネル３９０に隣接した位置に固定する。接続電極６７１、６７３は、補助セグメント電極６１０を駆動する電極である。示された実施形態は、１つの着脱表示部のために一対の接続電極が備えられる。この場合、補助セグメント電極がいずれも一対の接続電極に連結されて同時に駆動される。すなわち、着脱表示部は、単一のセグメントを構成するので、全体表示内容が同時に点滅される。しかし、これに限定されるものではなく、接続電極は、着脱表示部のセグメントの個数によってさらに多く備えられうる。補助回路基板の裏面の接続電極６７１、６７３は、補助セグメント電極６１０に電気的に導通するように印刷配線パターンによって連結される。図示されていないが、補助回路基板６３０の裏面には、補助セグメント電極を駆動する簡単な駆動回路がさらに備えられうる。
【００３３】
図８は、２個の着脱表示部８１０、８５０が付着された補助電子情報ラベル１３０の一実施形態を示す。示された実施形態で、２個の着脱表示部８１０、８５０は、メイン平板表示パネル８３０に隣接して、その上、下に付着される。しかし、これに限定されるものではなく、着脱表示部は、メイン表示パネルの左右に付着されても、メイン表示パネルなしに着脱表示部のみ１個あるいは２個が付着されてもよい。
【００３４】
図９は、本発明のさらに他の実施形態による補助電子情報ラベル１３０の外観を示す。図１０は、本実施形態による補助電子情報ラベル１３０の概略的な構成を示す。示したように、さらに他の実施形態による補助電子情報ラベルにおいて、本体フレームを構成する軟性回路基板３３０は、メイン電子情報ラベルのフレームに挟み込まれる中空部１０１０を備え、下側に平板表示パネル３９０が付着されるようにセグメント電極部３５０が形成され、外部接続部３１０は、中空部１０１０に向けて内側から突出した突出部１０３０に形成される。
【００３５】
図１１は、図９及び図１０に示された実施形態において、セグメント電極部３５０の表示パターンの構成を説明する図面である。一態様によって、セグメント電極部３５０は、オン／オフ駆動される固定表示パターン１１１０とセグメント組合わせられる組合わせ表示パターン１１３０とが混在されたものであり得る。図１１の（ａ）は、セグメント電極部の電極の全体的なパターンを示す。図１１の（ａ）において、電極パターン１１１０は、'ＢＵＹ'という文句の表示をオン／オフするようにいずれも電気的に１つに結ばれた固定表示パターンである。図１１の（ａ）において、電極パターン１１３０は、数字０〜９と、英文字Ｓ、Ｈ、Ｎを表示できるように１つ１つのセグメントが分離されながら個別的に駆動されて、セグメント組合わせによって表示情報を選択する組合わせ表示パターンである。電極パターン１１５０内には、１つあるいは幾つかの英文字を表示するようにセグメント組合わせられるパターンが複数個含まれている。電極パターン１１７０内には、固定表示パターンと、１つあるいは幾つかの英文字を表示するようにセグメント組合わせられる組合わせ表示パターンと、が混在されている。固定表示パターンと、制限されたセグメント間の組合わせのみを許容する組合わせ表示パターンを適切に混ぜて設計することによって、全体表示パターンの表示内容の変更を制御するのに制限された個数の駆動ポートを使うことが可能となる。これにより、無線通信集積回路２１０のマイクロプロセッサが備えている入出力ポートを使い、追加的なデコーダなしも表示制御が可能となる。
【００３６】
図１１の（ｂ）は、このセグメント電極部が、"ＢＵＹ  １  ＧＥＴ  １  Ｆｒｅｅ"という文句を表示するように駆動された結果を示す。図１１の（ｃ）は、このセグメント電極部が、"ＢＵＹ  ２  ＧＥＴ  １  Ｆｒｅｅ"という文句を表示するように駆動された結果を示す。図１１の（ｄ）は、このセグメント電極部が、"Ｓａｌｅ  ５．５％↓"という文句を表示するように駆動された結果を示す。図１１の（ｅ）は、このセグメント電極部が、"Ｈａｌｆ  Ｐｒｉｃｅ"という文句を表示するように駆動された結果を示す。図１１の（ｆ）は、このセグメント電極部が、"ＮＥＷ"という文句を表示するように駆動された結果を示す。
【００３７】
図１２は、電子情報ラベルの商品情報の表示方法を示すフローチャートである。示したように、まず、電子ラベル管理サーバは、運用者から入力されてデータベースとして管理される商品情報及び表示制御情報をゲートウェイ１７０を経て電子情報ラベルの無線通信集積回路２１０に伝送する（段階１２１０）。示された実施形態で、伝送される商品情報は、商品名、価格などの情報を含む表示イメージファイルで伝送される。販促情報は、セグメントディスプレイのオン／オフに関連した表示データの形態で伝送される。表示制御情報は、例えば、点滅周期に関連したデータである。
【００３８】
無線通信集積回路２１０のマイクロプロセッサは、ＥＰＤ駆動チップ２３０を活性化させ、受信した情報のうち、表示イメージを伝送する（段階１２２１）。次いで、マイクロプロセッサは、補助電子情報ラベルの表示駆動部３２０を活性化させ、販促情報及び表示制御情報を伝送する（段階１２２３）。
【００３９】
ＥＰＤ駆動チップ２３０は、電子ペーパーディスプレイ２５０を駆動するために電荷ポンプを起動して、必要な駆動電圧を確保する。次いで、電子ペーパーディスプレイ２５０に表示データを出力し、電子ペーパーディスプレイ２５０は、商品情報を表示する（段階１２３０）。補助電子情報ラベルの表示駆動部３２０は、電子ペーパーディスプレイである平板表示パネル３９０の駆動に必要な電圧を準備して、平板表示パネル３９０に販促情報の表示のためのセグメントのオン／オフ信号を出力する（段階１２４１）。次いで、表示駆動部３２０は、着脱表示部８１０にセグメントのオン／オフ信号を出力する（段階１２４３）。図示されていないが、表示駆動部３２０は、タイマイベントによって周期的にウェークアップして、平板表示パネル３９０や着脱表示部８１０の表示状態を切り替えて点滅駆動することができる。
【００４０】
以上、本発明を、添付した図面を参照する実施形態を通じて説明したが、これに限定されるものではなく、これらから当業者ならば、自明に導出することができる多様な変形例を包括するように解釈されねばならない。特許請求の範囲は、このような変形例を包括するように意図された。
【産業上の利用可能性】
【００４１】
本発明は、補助電子情報ラベル関連の技術分野に適用可能である。
【図１】
2016057597.tif 000003
【図２】
2016057597.tif 000004
【図３】
2016057597.tif 000005
【図４】
2016057597.tif 000006
【図５】
2016057597.tif 000007
【図６】
2016057597.tif 000008
【図７】
2016057597.tif 000009
【図８】
2016057597.tif 000010
【図９】
2016057597.tif 000011
【図１０】
2016057597.tif 000012
【図１１】
2016057597.tif 000013
【図１２】
2016057597.tif 000014